(57)【要約】　　　（修正有）【課題】通信網を利用して簡単に情報がダウンロードし、その情報の不正コピーを防止する情報通信システムを提供する。【解決手段】コンピュータが、デジタル情報の要求と装置Ａ，Ｂの一般コードおよび個別コードをサーバに送信し、サーバは一般コードおよび個別コードに基づいて装置Ａ，Ｂの装置Ｂの圧縮方式を特定して要求されたデジタル情報を準備した後、個別コードに基づいてデジタル情報に装置Ａ，Ｂを用いずには再生不可能なスクランブルをかけてコンピュータに送信する。【選択図】図１
2004004594.tif 000002
【特許請求の範囲】
【請求項１】
記録再生装置で再生可能なデジタル情報をサーバから通信網を通してコンピュータにダウンロードする情報通信システムにおいて、
前記コンピュータは、前記デジタル情報の要求と前記記録再生装置の一般コードおよび個別コードを前記サーバに送信し、
前記サーバは前記一般コードおよび前記個別コードに基づいて前記記録再生装置の圧縮方式を特定して前記要求されたデジタル情報を準備した後、前記個別コードに基づいて前記デジタル情報に前記記録再生装置を用いずには再生不可能なスクランブルをかけて前記コンピュータに送信することを特徴とした情報通信システム。
【請求項２】
前記サーバより送信され、前記コンピュータに記憶された前記デジタル情報は前記記録再生装置を介することにより前記コンピュータで再生可能であることを特徴とする請求項１記載の情報通信システム。
【発明の詳細な説明】
【０００１】
【発明の属する技術分野】
本発明は、コンピュータの要求によってサーバから音楽などを取得する情報通信システムに関する。
【０００２】
【従来の技術】
近年、音楽や映画などのアナログ情報をデジタル情報化して、記録、再生する様々な装置が開発されている。また記録媒体の有効利用のために情報に圧縮を加えて記録し、これを伸長して再生する装置も数多く開発されている。またこれらの装置はデータをデジタル情報として扱うことができるので、有線や無線でこれらの情報をダウンロードすることもできるし、また情報のコピーが容易なため自動販売機システムも提案されている。例えば特許文献１にはソフトウエアの自動通信システムが開示されている。
【０００３】
一方、多くの情報圧縮の手法も提案されており、多くの機器においては装置に組み込まれたデジタルシグナルプロセッサ（ＤＳＰ）に演算処理させている。最近では、これらの圧縮手法を応用したテープ系の装置や、ディスクメディア系ポータブルオーディオ装置や、ビデオ装置が実用化されている。また、これら圧縮手法を半導体メモリに応用した記録再生装置も開発されている。例えば、特許文献２にはカード型の録音再生装置が開示されている。
【０００４】
【特許文献１】
特開平５−８９３６０号公報
【特許文献２】
特開平８−８７３００号公報
【０００５】
【発明が解決しようとする課題】
前述したように多くの装置の記録情報がデジタル化されるに伴い、次のようなさまざまな問題点が発生している。デジタル情報の便利さのひとつに、劣化のないことがあるが、これは逆に音楽情報など著作権のある情報が違法に複製される危険性をはらんでいる。そこでデジタル音楽情報は現在、シリアルコピーマネージメントにより、原盤からデジタルコピーで子はできるが、孫はできないようにフラグ管理がされている。しかし無限の複数の子にデジタルコピーをとることが可能である。
【０００６】
特に、最近では高音質の音声圧縮技術により、データ量を削減して音楽情報などをパーソナルコンピュータのファイルデータとして保存、複製することも可能となっている。これにより複製が簡単に短時間ででき、しかもデータのコピーは現在以上の劣化がないため音楽情報など著作権のある情報が違法に複製される危険性をはらんでいる。さらにパーソナルコンピュータのアプリケーションプログラムにはこれらの圧縮情報を再生して音楽を聞くことができるようになっているものもあり、パーソナルコンピュータで音楽を聴くという用途が広がっているのもこれらを助長している。
【０００７】
また、パーソナルコンピュータとこのようなデジタル録画再生装置とのデータ転送はメモリカードに代表されるように、簡単にしかも瞬時にできるようになった。そのためさらに情報が第三者へ違法に複製される危険性をはらんでいる。また、近年、デジタル情報を有線、無線、自動販売機などの手段を用いて有料で配信するサービスが開始されようとしている。いろいろな課金の手段が提案されているが、一旦、有料で入手した情報はその後どこにでも複製ができてしまうので違法に複製される危険性をはらんでいる。
【０００８】
また、音楽記録再生装置には自分のお気に入りの音楽を集めて楽しむという使い方がある。とくに最近では音楽情報の編集機能の充実した装置がたくさん開発されており、曲順の並べ替えや、使用者が任意にタイトルやメッセージなどを記録し表示できるような装置もある。仮にＡさんがこのような装置を使用してＳ１、Ｓ２、Ｓ３、Ｓｎという歌曲をデジタル録音し、それぞれにタイトルやメッセージをＴ１、Ｔ２、Ｔ３、Ｔｎと入力していたものとする。これを見た（聞いた）Ｂさんがこの複製を欲しいと思っても、アナログで複製する以外に手段はない。もちろんこのとき複製には演奏実時間がかかるし、さらにタイトルやメッセージ等を複製することもできない。さらに、アナログ録音とは言え第三者に複製することには問題がある。このようにＢさんがひとつずつ曲を合法的に複製し、メッセージを自分の手で入れていくのは多大な労力を要するという不便さがある。
【０００９】
さらにまた、有線での自動販売機においては次のような問題がある。上記で説明した自動販売機は街頭や販売店に設置する装置を想定しているが、最近普及してきたインターネット技術やデジタル放送技術にこれを応用することができる。すでにインターネットでは仮想店舗などが実用化されている。前記自動販売機は内部処理がブラックボックスとなっており、利用者には内部処理を読み取ることはできない。ところがパーソナルコンピュータで例えばインターネットを利用してダウンロードした情報はファイルとして利用者は自由に扱うことができる。これでは非合法的な複製の問題が解決できない。このために著作権情報などを記録する電子透かし技術の応用が提案されているが、これもそのひとつの手段ではあるものの完全ではない。本発明は上述の点に着目してなされたもので、通信網を利用して簡単に情報がダウンロードし、その情報の不正コピーを防止する情報通信システムを提供することを目的とする。
【００１０】
【課題を解決するための手段】
本発明の情報通信システムは、記録再生装置で再生可能なデジタル情報をサーバから通信網を通してコンピュータにダウンロードする情報販売システムであって、前記コンピュータは、前記デジタル情報の要求と前記記録再生装置の一般コードおよび個別コードを前記サーバに送信し、前記サーバは前記一般コードおよび前記個別コードに基づいて前記記録再生装置の圧縮方式を特定して前記要求されたデジタル情報を準備した後、前記個別コードに基づいて前記デジタル情報に前記記録再生装置を用いずには再生不可能なスクランブルをかけて前記コンピュータに送信することを特徴とするものである。
【００１１】
また、本発明の情報通信システムは、前記サーバより送信され、前記コンピュータに記憶された前記デジタル情報は前記記録再生装置を介することにより前記コンピュータで再生可能であることを特徴とするものである。
【００１２】
【発明の実施の形態】
以下、本発明の一実施の形態について、図面を参照して説明する。図１において、２つの記録再生装置（以下、装置Ａ、装置Ｂと称する）があり、装置Ａは圧縮方式ａを採用しており、装置Ｂは圧縮方式ｂを採用しているものとする。また装置ＡはディスクメディアＤで録音再生する例えばミニディスクプレーヤ（ＭＤプレーヤ）であり、装置Ｂは半導体メモリ内蔵型の録音再生機であるものとする。装置Ｂには外部とのインタフェース用に例えばＰＣＭＣＩＡインタフェースの接続コネクタＣを備えているものとする。装置Ａ、Ｂともに単独での録音再生ができるものである。
【００１３】
また自動販売機Ｈには例えば音楽情報がデジタル情報としてストックされている。また自動販売機Ｈは、ストックしている音楽情報以外の要求があったときのために他のデータベースＤＢを持ったコンピュータＣＰと通信手段を備えている。自動販売機Ｈはこの情報を、装置Ａはメディアを介して、また装置ＢはたとえばＰＣＭＣＩＡインタフェースＣを介して転送することができる。以下、上記装置の動作例について説明する。
【００１４】
＜装置Ａ単独での録音＞
この例では、装置Ａはディスク系の装置となっている。その代表である例えばＭＤプレーヤの動作については公知であるので省略するが、ここで重要なのは、使用するメディアすなわちＭＤカートリッジのＴＯＣ情報の内容である。これについては後の利用例で説明する。
【００１５】
＜装置Ｂ単独での録音＞
この例では、装置Ｂは半導体メモリを内蔵した録音再生装置となっている。ここで、装置Ｂにおける録音動作を図２により説明する。キー入力手段６により録音が制御回路７に指示されると、制御回路７は次のように装置を制御する。アナログ入力回路１から音声情報が入力され、Ａ／Ｄ変換回路２により、１６ビットのデジタル情報が４８ＫＨｚごとに出力される。制御回路７が音声圧縮伸長回路（ＤＳＰ）３を圧縮モードに設定すると、ＤＳＰ３は、圧縮アルゴリズムに則ってデータ量にして一般的に数分の１から数１０分の１の圧縮を行う。
【００１６】
次に制御回路７は圧縮されたデータにスクランブルをかける。これは制御回路７のソフトウエアで行ってもよいし、ハードウエアでＤＳＰ３の出力後のデータに対して自動的にスクランブルをかけるスクランブル回路で行うようにしてもよい。また同様の機能をＤＳＰ３に組み込んでもよい。スクランブルをかけるにあたっては、装置固有のスクランブルキーコードをキーコードＲＯＭ１０に記録しておく。スクランブル回路９はこれをもとに一定の規則でスクランブルを行う。スクランブルの手法に関しては後で説明する。
【００１７】
次に制御回路７はスクランブル後のデータをメモリチップ群（Ｍ１からＭｎ）に順次書き込む。この例では圧縮された情報を４２４バイト（Ｌチャンネル＝２１２バイト・Ｒチャンネル＝２１２バイト）を１ページに書き込む。このページが多くのディスク系記録媒体でいうセクタに代表される固定記録単位に相当する。もちろん半導体メモリの特性によっては、これ以外の規則で記録してもよい。
【００１８】
＜装置Ｂ単独での再生＞
図３のキー入力手段６により、再生が制御回路７に指示されると、制御回路７はメモリチップ群１１のメイン領域（図４参照）に書かれている圧縮された情報を制御回路７に読み出す。このとき読み出した情報を制御回路７のソフトウエアでスクランブルを解いてもよいし、スクランブル回路９を通して解いてもよい。本例ではスクランブル回路９を使用している。音声圧縮伸長回路３は定期的に制御回路７から圧縮情報を要求し、図３の例で言えば２１２バイト（ＬまたはＲチャンネル）を受け取り終ると伸長処理を行う。伸長されたデータは録音時のサンプリングレート（図３の例では４８ＫＨｚ）に従いＤ／Ａ変換回路４に送られアナログ出力回路５から再生される。
【００１９】
＜装置Ｂ単独でのサブ情報の記録＞
上記まで装置Ｂ単独での録音再生動作を説明した。ここでサブ情報の記録手段について説明する。書き込みに際しては図４のメイン領域にスクランブル圧縮情報を記録する。また図４の未使用領域の８４バイトを利用し、サブ情報を記録する。図４に記載のページとは、この半導体メモリとしてページ書き込み型のフラッシュメモリを使用した例である。このページが多くのディスク系記録媒体でいうセクタに代表される固定記録単位に相当する。もちろんメインの圧縮情報とサブ情報はこれ以外の領域にこれ以外の規則で記録してもよい。またメイン情報に秘匿性を求めないものについては、スクランブルをかけない方法ももちろん可能である。
【００２０】
サブ情報には利用者が任意に入力できるものと、一定の規則にしたがったＴＯＣ情報とがあるがＴＯＣ情報については後で説明し、ここでは利用者が任意に入力できるサブ情報について説明する。以降、混乱をさける為、利用者が任意に入力できるサブ情報をメッセージ情報と呼ぶこととする。現在、実用化されているメッセージ情報の例にＭＤプレーヤがあり、これは装置のキー入力手段を用いて、ディスクに記録するものである。もちろん同様に半導体メモリを用いた装置においても、装置のキー入力手段を用いて、半導体メモリの特定の領域に一定の規則を持って記録することができる。
【００２１】
＜装置Ｂにおける外部装置とのインタフェース＞
装置Ｂは図５に示すようなインタフェース用のコネクタＣを有する。この例ではパーソナルコンピュータで規格化されているＰＣＭＣＩＡ規格に則っている。通常は装置Ｂのメモリは制御回路７によりアクセスされることは前述したとおりであるが、違うのはインタフェースコネクタＣが準備されていることを示す検出回路１２を備えていることである。これにより、インタフェースコネクタＣが準備されているときには、バス切り替え回路１３により制御回路７と半導体メモリとは切り離された状態となるよう設定される。これにより装置ＢはＰＣＭＣＩＡカードとして機能するようになる。あるいは、図６にあるようにデュアルポートメモリ２０を介して外部装置と装置の制御回路７とを両方アクティブにした状態でお互いにデータを転送してもよい。
【００２２】
＜装置Ｂにおける外部装置からの情報入手＞
前記したように、装置Ｂはホスト装置（ここでは音楽情報の自動販売機を例にする）から見て情報カードとして機能する。従って、音楽自動販売機Ｈ（図１参照）で適切な課金を行い、情報を装置Ｂへ転送することが可能となる。このとき単に情報を転送するだけでなく、本発明においては次のような工夫がされている。
【００２３】
まずコピー時間の短縮のために圧縮情報を装置Ｂへ転送する。装置Ｂにおいてサポートしている音声圧縮手法がアトリビュート情報ＲＯＭ１５（図５、図６参照）に記録されており、音楽自動販売機Ｈはカードが挿入されたときにそのアトリビュート情報ＲＯＭ１５をみて、アトリビュートを読み、アトリビュートから圧縮情報を取得し、転送すべき圧縮情報を準備するのである。転送すべき曲が準備できると、実際に転送を開始する。ここですでに情報は圧縮されているので音声圧縮回路を経由せず、スクランブル回路９に入力される。スクランブルされた情報はメモリチップ群１１にに順次記録される。
【００２４】
この手順を図７のフローチャート（自動販売機Ｈ側の制御）に示す。
（イ）まず、自動販売機Ｈのディスティネーション挿入口への装置Ｂの挿入が完了しているか否かを判断する（ステップＳ１）。ディスティネーションとはコピー先の対象を言う。
（ロ）ＮＯであってまだ挿入されていなければ、挿入されるまで待機し、ＹＥＳであって挿入が完了すると、
（ハ）自動販売機Ｈは、装置Ｂのアトリビュート情報を読み取る（ステップＳ２）。
（ニ）つぎに自動販売機Ｈは装置Ｂのアトリビュート情報が示す圧縮方式を取得し（ステップＳ３）、この圧縮方式から自己データベースにアクセスし該当する曲の該当する圧縮方法のデジタルデータを準備する（ステップＳ４）。
（ホ）ここで装置Ｂのメモリ残量およびライトプロテクトをチェックし（ステップＳ５）、ＯＫであって問題がなければ自動販売機Ｈは準備したデジタルデータを装置Ｂに書き込む（ステップＳ６）。ＮＧであって、メモリ残量又はライトプロテクトが書き込み不能の状態であれば、エラーメッセージを表示して（ステップＳ７）、
（ヘ）自動販売機Ｈは終了処理を行う。
【００２５】
またサブ情報は経路Ｌ２（図５参照）でスクランブルをかけないで記録される。スクランブルをかける、かけないの切り替えは例えばメモリマッピング方式で行ってもよい。または、従来のようにデジタルオーディオインタフェース、あるいはアナログ音声入力を備えた装置であれば、従来方式で前記よりも時間はかかるが、録音と同じ処理で音楽をダビングすることもできる。
【００２６】
＜ＴＯＣの説明＞
ここで装置ＡのディスクＤの情報を装置Ｂに転送する方法を説明する前にディスクに書かれているＴＯＣ情報を説明する。ＴＯＣ（Ｔａｂｌｅ　Ｏｆ　Ｃｏｎｔｅｎｔｓ）とはそのディスクに書かれている情報を集中的に管理するテーブルであり、曲名や情報が書かれているアドレス、ディスクの属性などが記録されている。すなわちＴＯＣを読めば、そのディスクの概要がつかめるわけである。ディスクにはプリマスタードと言う読み出し専用と書き込みのできるディスクとがある。ここで本発明においては、曲を特定する手段が必要となってくる。
【００２７】
それには著作権番号を利用する手段、プリマスタードであれば曲名から判断する手段などがある。いずれにしても本システムを運用するに当たってはこれらの規約を設ける必要がある。一番適当なものは著作権に個別に対応した識別符号である。有償、無償に関わらず、すべての配布ディスクのＴＯＣには録音されている曲の識別符号を記録するのがもっとも好ましい。さらに有線、無線で配布されるものについても、著作権に個別に対応した識別符号と一緒に配布することが好ましい。
【００２８】
このＴＯＣに記録される情報の概念を図８に示す。図示の例では、ＩＮＤＥＸ、曲名、開始アドレス、録音時間、再生順、各種フラグ、著作権管理番号、メイン情報の一部、ユーザエリアの情報からなっている。なお現状においては上記規約はまだ設けられていないのでメイン情報の一部を曲のＩＤに代用してもよい。
【００２９】
＜装置Ａから装置Ｂへの情報転送＞
前述のように、図１において、装置Ａは圧縮方式ａを採用しており、装置Ｂは圧縮方式ｂを採用しているとする。また装置ＡはディスクＤで録音再生する例えばミニディスクプレーヤ（ＭＤプレーヤ）であり、装置Ｂは半導体メモリ内蔵型の録音再生機であるものとする。装置Ｂには外部とのインタフェース用に例えばＰＣＭＣＩＡインタフェースの接続コネクタＣを備えているものとする。もちろん装置Ａも装置Ｂも単独での録音再生ができる。
【００３０】
また音楽自動販売機Ｈには例えば音楽情報がデジタル情報としてストックされている。また自動販売機Ｈはストックしている音楽情報以外の要求があったときのために他のコンピュータと通信手段を備えている。自動販売機Ｈはこの情報を装置Ａにはメディアを介して、また装置Ｂには直接転送することができる。
【００３１】
この動作のひとつの例の詳細を順に説明する。
（イ）装置Ａの使用者は自動販売機Ｈのソース挿入口にＭＤディスクＤを挿入する。
（ロ）装置Ｂの使用者は装置Ｂがカードとして機能するよう設定する。装置Ｂにおける外部装置とのインタフェースの実施例で例に挙げた装置においてはスロットに挿入するとその検出手段によって自動的にカードとして機能するよう設定される。
（ハ）装置Ｂの使用者は自動販売機Ｈのディスティネーション挿入口に装置Ｂを挿入する。
（ニ）自動販売機ＨはＭＤディスクＤが完全に挿入されると、まずディスクのＴＯＣを読み取る。
（ホ）自動販売機Ｈは装置Ｂが完全に挿入されると、まず装置Ｂのアトリビュート情報を読み取る。
（ヘ）自動販売機Ｈは使用者に適当な課金要求を行い、実行の確認を促す。
（ト）実行の指示により、自動販売機ＨはＴＯＣから前述の＜ＴＯＣの説明＞で述べた曲の選別符号を読み取る。
（チ）自動販売機Ｈは曲の識別符号と装置Ｂのアトリビュート情報が示す圧縮方式を取得し、この圧縮方式から自己データベースにアクセスし該当する曲の該当する圧縮方法のデジタル情報を準備する。
（リ）メモリ残量およびライトプロテクトをチェックし、自動販売機Ｈは準備したデジタル情報を装置Ｂに書き込む。同時に曲の識別符号も書き込む。
（ヌ）自動販売機Ｈは終了処理を行う。これらのステップはあくまで一例であり、他にも、適当な処理手順は可能である。
【００３２】
またＭＤプレーヤと半導体メモリ内蔵型の録音再生機を例に説明したが、ソース側に挿入される装置と、ディスティネーション側に挿入される装置との組み合わせには基本的な制約はなく、自動販売機が備えているコネクタの種類とその制御ソフトウエアの性能、および曲識別の規約に依存するものである。またＭＤディスクを例にしたが、ＣＤディスクやフレキシブルディスクにも応用可能である。
【００３３】
＜装置Ａから装置Ｂへのサブ情報の転送＞
上記の手順と同じであるが、違うのはＭＤディスクに使用者が記録した、あるいはプリマスタードであれば記録されていた曲名などの情報も上記（リ）の動作で書き込むことである。書き込むタイミングはあくまで一例であり、ほかにも適当な処理タイミングはある。
【００３４】
＜装置の個別ＩＤ＞
上記の手順（ホ）の中で自動販売機Ｈの制御ソフトウエアは装置Ｂの装置のＩＤを読みとることもできる。また自動販売機Ｈは装置ＩＤ毎にアクセス回数やダウンロードした曲などの統計情報をデータベース化することができる。
【００３５】
＜有線での自動販売機における実施例＞
次に、インターネットで音楽を有償で配信するサービスの例を説明する。これには何らかの手段で使用者を認証する必要がある。これには現在多くの手法が提案されているが、いずれの手法にしても特定のためのコードを送受信する必要がある。このコードには装置のメーカーコードや装置のシリアル番号を用いることなどが考えられる。本発明においては上記のコードに個別スクランブルコードという要素を加えることに特徴がある。単純にこれらのコードを羅列したものを送受信するのは秘匿性に問題があるので、これをまた暗号化してもよい。その手法は問わない。サーバは受信した装置のコードと個別スクランブルコードから、圧縮方式を特定し、要求された音楽情報（圧縮されたもの）を準備する。さらに、この情報に個別スクランブルコードからスクランブルをかけ、これを送信する。これにより、受信側のパーソナルコンピュータには装置Ｂでしか再生できない音楽情報がファイルとしてダウンロードされたことになる。もちろん前記した電子透かし技術やシリアルコピーマネージメント技術との併用も可能である。
【００３６】
また、パソコンから装置Ｂにファイルを転送する場合は、すでにスクランブルがかかっているので、図５におけるＬ２の経路でコピーすることができる。また装置Ｂにコピーしなくとも、パソコンからデータをスクランブル回路９に入力し、復号された情報をＤＳＰへ送る経路を通せば、装置Ｂのメモリチップ群にデータがなくてもパソコンのファイルから再生が可能である。
【００３７】
装置Ｂにアナログで録音するときは、曲に対応したＩＤを記録することはできない。例えばＦＭのラジオ放送やテレビの歌番組で録音したとしても、そこには音声情報があるだけで、前記、曲識別のためのＩＤやメッセージ情報は存在しないからである。後から入力手段でＩＤやメッセージを使用者が打ち込んでもよいが、本発明でさらにＦＭ多重放送受信機を内蔵した録音機においては、音声と連動して送られてくるデジタル情報を利用できるので、現在録音している歌とそのＩＤ、メッセージもサブ情報として記録することができる。なお、本発明は上記実施の形態に限定されるものではない。
【００３８】
スクランブルの手法については、多くの暗号化技術があり、実用化されているのでここでは省略するが、本発明のスクランブルの主旨は、メモリ媒体のバースト誤りを回避するためのスクランブルではなく、あくまで秘匿性を確保するためである。このためスクランブルは、無意味な信号を再生する場合、有限の信号を再生しない場合、又は、再生動作をしない場合等のいかなるものでもよい。サブ情報には、特定の曲を示す曲名のＩＤ、装置の個別ＩＤ、曲名やアーティスト名、歌詞、又は、使用者が任意に入力できるメッセージ等がある。情報転送手段には、メモリカード、磁気記録媒体、光磁気記録媒体、ホスト装置と個別装置との有線又は無線の転送手段等がある。
【００３９】
【発明の効果】
以上、詳述したように、本発明によれば、個別コードに従って情報をスクランブル化してしまうことにより、ダウンロードした情報は該装置を用いずには再生できず、何らかの不正な手段で装置に内蔵したメモリの情報が読まれたとしても他の装置では使用できず、したがって、情報の秘匿性に効果を発揮する。
【００４０】
本発明における記録再生装置では、情報を外部と入出力する手段を持つので、音楽情報のようなメイン情報は秘匿性を持ったままで、またサブ情報はそのままで外部とやりとりすることができる。特に、録音再生機からパーソナルコンピュータへ情報を吸い上げ、パーソナルコンピュータのファイルとしてデータを保存、コピー、他社への譲渡、転送などがパーソナルコンピュータ間で自由に行えるのであるが、本発明では、そのファイルはスクランブルのかかった秘匿性のあるものなので、第三者へ譲渡しても意味のないものになる。しかし、当該録音再生装置を所有している人にとっては、該装置の情報をパーソナルコンピュータに蓄積し、保存することができる。パーソナルコンピュータ単独では再生できないので秘匿性が高い。このように、第三者への不正な複製を防止できると共に、正規ユーザには何ら不便を感ずることなく音楽を楽しむことができる。
【００４１】
また、最近では、圧縮情報をパーソナルコンピュータのサウンドボード（音声処理回路）を介して音楽を再生するというアプリケーションプログラムが開発されている。これも、不正な使用を助長するおそれがあるが、本発明によりパーソナルコンピュータに取り込まれたファイルは、スクランブルがかかっているため、これらのアプリケーションでは再生できない。パーソナルコンピュータのファイル情報を直接再生するためには、該装置をインタフェースコネクタを介してパーソナルコンピュータに接続すればよい。このように、本発明によれば、デジタル化された著作権のある情報（例えば音楽）を権利を損なうことなく使用者に楽しんでもらうことができる。これは、最近普及しつつあるインターネットを利用した音楽の有償配信サービスに有効である。
【００４２】
エラー訂正を行うシステムにおいては、スクランブルにより、バースト誤りを回避できる効果もある。また、圧縮情報をコピーすることで、瞬時に合法的にコピーをとることができる。また、サーバに記憶されている新しい情報がコピーされるので最高の音質にしてコピーすることができる。
【００４３】
装置のＩＤにより、購入履歴などの管理をすることができ、販売促進に利用することができる。
【図面の簡単な説明】
【図１】自動販売システムの概念を示すブロック図である。
【図２】本発明に使用される記録再生装置の録音概念図である。
【図３】本発明に使用される記録再生装置の再生概念図である。
【図４】本発明に使用される記録再生装置のメモリ記録形態概念図である。
【図５】本発明に使用される記録再生装置の一例を示すブロック図である。
【図６】本発明に使用される記録再生装置の他の例を示すブロック図である。
【図７】自動販売機からのダウンロードフローチャートである。
【図８】ディスクのＴＯＣの１例を示す概念図である。
【符号の説明】
１　　アナログ入力回路
５　　アナログ出力回路
６　　キー
７　　制御回路
９　　スクランブル生成回路
１０　　キーコードＲＯＭ
Ａ、Ｂ　　記録再生装置
Ｃ　　インタフェースコネクタ
Ｄ　　ディスク
Ｈ　　自動販売機
【図１】
2004004594.tif 000003
【図２】
2004004594.tif 000004
【図３】
2004004594.tif 000005
【図４】
2004004594.tif 000006
【図５】
2004004594.tif 000007
【図６】
2004004594.tif 000008
【図７】
2004004594.tif 000009
【図８】
2004004594.tif 000010